(57)【特許請求の範囲】
【請求項１】
梁、土台等の横架材に、柱の脚部や頭部を接合するための、前記横架材に埋設固定される横架材側接合金物と、前記柱の脚部又は頭部に埋設固定される筒状の柱側接合金物とを用いた柱脚部・柱頭部接合構造に用いる、複数の前記横架材側接合金物が固定された前記横架材であって、
複数本の前記柱が、接合強度を異ならせた状態で、上面又は下面に接合されるようになっており、各々の接合箇所に埋設固定された前記横架材側接合金物は、当該横架材に埋設される埋設固定部と、当該横架材の上面又は下面から突出する棒状接合突出部とを含んで構成されており、各々の前記埋設固定部は、前記柱との接合強度に応じた所定の本数の線状固定部材を、側面から前記埋設固定部に設けられた挿通孔に向けて取り付けることによって固定されていると共に、前記棒状接合突出部は、上面又は下面から所定の高さに配設される位置に、固定ピンを貫通させる横架材側貫通孔を備えており、
各々の接合箇所に埋設固定された前記横架材側接合金物は、前記棒状接合突出部が上面又は下面から突出する高さを揃えると共に、前記埋設固定部の長さ及び前記挿通孔に向けて取り付けられる前記線状固定部材の本数を、前記柱との接合強度に応じて変化させた状態で、固定されている横架材。
【請求項２】
前記柱の脚部又は頭部に埋設固定される前記柱側接合金物は、前記柱の下端面又は上端面に開口端面を臨ませた状態で前記柱の脚部又は頭部に埋設固定されており、前記柱の下端面又は上端面から所定の高さに配設される位置に、前記固定ピンを貫通させる柱側貫通孔を備えると共に、前記柱の側面から、前記柱側貫通孔の上方又は下方の部分に設けられた挿通孔に向けて、前記接合強度に応じた所定の本数の線状固定部材を取り付けることによって、前記柱に固定されており、
前記柱脚部・柱頭部接合構造は、各々の前記柱に固定された筒状の前記柱側接合金物の中空内部に、各々の前記横架材側接合金物の前記棒状接合突出部を挿入して、当該横架材の上面又は下面から前記柱を上方又は下方に立設させた状態で、合致させた前記柱側貫通孔及び前記横架材側貫通孔に向けて、各々の前記柱の側面から、各々の前記横架材側接合金物の前記棒状接合突出部及び前記柱側接合金物を貫通して前記固定ピンを打ち込むことによって、一体化された複数の前記横架材側接合金物と前記柱側接合金物を介して、当該横架材に複数本の前記柱の脚部や頭部を接合することによって構成されている請求項１記載の横架材。
【請求項３】
前記固定ピンは、ドリフトピンである請求項１又は２記載の横架材。
【請求項４】
前記線状固定部材は、ドリフトピンである請求項１〜３のいずれか１項記載の横架材。
【請求項５】
前記横架材側接合金物は、前記埋設固定部を形成する筒状部材と、該筒状部材の内径と同様の外径を備える棒状部材との２部材によって形成されており、前記棒状部材が、一端部側を前記筒状部材の内部に挿入して固定されることで、他端部側を前記棒状接合突出部として上面又は下面から突出させた状態で取り付けられている請求項１〜４のいずれか１項記載の横架材。
【発明の詳細な説明】
【技術分野】
【０００１】
本発明は、梁、土台等の横架材に、柱の脚部や頭部を接合するための柱脚部・柱頭部接合構造に用いる横架材に関する。
【背景技術】
【０００２】
例えば軸組工法による木造の住宅建築物等の建物において、梁、土台等の横架材に柱の脚部や頭部を接合するための金物として、ホールダウン金物や羽子板金物等が知られているが、これらの接合金物は、柱の側面に露出することになり、また取付け位置が柱の軸心とずれた位置となるため、例えば引抜き方向の荷重に対して、引抜き耐力が効率良く発揮されているとは言い難い。
【０００３】
一方、ドリフトピンを挿通させるピン挿通孔が形成されたほぞ棒金物を、柱や横架材に形成されたホゾ孔に挿入装着して、柱と横架材とに跨るように設置すると共に、柱や横架材の側面に形成されたピン打込み孔を介して、ピン挿通孔を貫通させてドリフトピンを打ち込むことによって、ほぞ棒金物を柱材の軸心に沿って配置した状態で、柱と横架材とを接合できるようにした接合構造が開発されている（例えば、特許文献１参照）。
【０００４】
また、特許文献１のほぞ棒金物を用いた接合構造では、柱と横架材の双方に、ほぞ棒金物のピン挿通孔を貫通させてドリフトピンを打ち込むことによって、打ち込まれたドリフトピンによって所望の引抜き耐力が得られるようになっているが、ほぞ棒金物を、各々の接合箇所における横架材の引抜き耐力等の相違に応じて、細かい種類に設定することが難しく、特に、単一の横架材における、柱の脚部や頭部との複数の接合箇所で、要求される引抜き耐力が各々異なる場合には、このような引抜き耐力の相違に対応させることは困難である。
【０００５】
このようなことから、横架材を上下方向に貫通して埋め込まれるジョイントパイプ金物と、ジョイントパイプ金物に一端側が挿入装着され、他端側が横架材の上面又は下面から突出した状態で設置されるホゾ棒金物とを含むセット金物を用いることで、単一の横架材における複数の接合箇所で、要求される引抜き耐力が各々異なる場合にも対応できるようにした、柱脚部・柱頭部接合構造も開発されている（例えば、特許文献２参照）。
【０００６】
特許文献２の柱脚部・柱頭部接合構造では、要求される引抜き耐力である、横架材と柱との接合強度に応じて、異なる長さのホゾ棒金物を使用すると共に、横架材の上面又は下面から突出するホゾ棒金物の突出長さを異ならせることで、要求される各々の接合強度に対応できるようになっている。
【先行技術文献】
【特許文献】
【０００７】
【特許文献１】特開２００３−１５５７８０号公報
【特許文献２】特開２０１３−１３６９２６号公報
【発明の概要】
【発明が解決しようとする課題】
【０００８】
しかしながら、特許文献２の柱脚部・柱頭部接合構造では、プレカット工場等において、予め横架材にセット金物を取り付けておき、施工現場では、横架材から立設させた柱の側面からドリフトピンを打ち込むだけの簡易な作業によって、効率良く横架材に柱の脚部や頭部を接合できるようにする場合には、横架材の上面又は下面からホゾ棒金物が突出する部分の長さが大きくなっていると、横架材をトラック等に積み込んで施工現場まで搬送する際に、ホゾ棒金物の突出した部分が邪魔になって、搬送時における積載効率が低下することで、建設コストが増加することになる。
【０００９】
また、横架材と柱との接合強度に応じて、単一の横架材の複数の接合箇所に、複数のホゾ棒金物が、横架材の上面又は下面から突出する長さを異ならせて取り付けられている場合には、最も長く突出するホゾ棒金物の突出長さを基準として、横架材を積み込む必要があるので、同様に搬送時における積載効率が低下することになる。
【００１０】
本発明は、横架材の上面又は下面から突出する部分の接合金物の突出長さを短く揃えて、搬送時における積載効率を向上させることのできる柱脚部・柱頭部接合構造、及び該接合構造に用いる横架材を提供することを目的とする。
【課題を解決するための手段】
【００１１】
本発明は、土台等の横架材に、柱の脚部や頭部を接合するための、前記横架材に埋設固定される横架材側接合金物と、前記柱の脚部又は頭部に埋設固定される筒状の柱側接合金物とを用いた柱脚部・柱頭部接合構造に用いる、複数の前記横架材側接合金物が固定された前記横架材であって、複数本の前記柱が、接合強度を異ならせた状態で、上面又は下面に接合されるようになっており、各々の接合箇所に埋設固定された前記横架材側接合金物は、当該横架材に埋設される埋設固定部と、当該横架材の上面又は下面から突出する棒状接合突出部とを含んで構成されており、各々の前記埋設固定部は、前記柱との接合強度に応じた所定の本数の線状固定部材を、側面から前記埋設固定部に設けられた挿通孔に向けて取り付けることによって固定されていると共に、前記棒状接合突出部は、上面又は下面から所定の高さに配設される位置に、固定ピンを貫通させる横架材側貫通孔を備えており、各々の接合箇所に埋設固定された前記横架材側接合金物は、前記棒状接合突出部が上面又は下面から突出する高さを揃えると共に、前記埋設固定部の長さ及び前記挿通孔に向けて取り付けられる前記線状固定部材の本数を、前記柱との接合強度に応じて変化させた状態で、固定されている横架材を提供することにより、上記目的を達成したものである。
【００１２】
そして、本発明の横架材は、前記固定ピンが、ドリフトピンであることが好ましい。
【００１３】
また、本発明の横架材は、前記線状固定部材が、ドリフトピンであることが好ましい。
【００１４】
さらに、本発明の横架材は、前記横架材側接合金物が、前記埋設固定部を形成する筒状部材と、該筒状部材の内径と同様の外径を備える棒状部材との２部材によって形成されており、前記棒状部材が、一端部側を前記筒状部材の内部に挿入して固定されることで、他端部側を前記棒状接合突出部として前記横架材の上面又は下面から突出させた状態で、前記横架材に取り付けられていることが好ましい。
【００１５】
さらにまた、本発明の横架材は、前記柱の脚部又は頭部に埋設固定される前記柱側接合金物が、前記柱の下端面又は上端面に開口端面を臨ませた状態で前記柱の脚部又は頭部に埋設固定されており、前記柱の下端面又は上端面から所定の高さに配設される位置に、前記固定ピンを貫通させる柱側貫通孔を備えると共に、前記柱の側面から、前記柱側貫通孔の上方又は下方の部分に設けられた挿通孔に向けて、前記接合強度に応じた所定の本数の線状固定部材を取り付けることによって、前記柱に固定されており、前記柱脚部・柱頭部接合構造は、各々の前記柱に固定された筒状の前記柱側接合金物の中空内部に、各々の前記横架材側接合金物の前記棒状接合突出部を挿入して、当該横架材の上面又は下面から前記柱を上方又は下方に立設させた状態で、合致させた前記柱側貫通孔及び前記横架材側貫通孔に向けて、各々の前記柱の側面から、各々の前記横架材側接合金物の前記棒状接合突出部及び前記柱側接合金物を貫通して前記固定ピンを打ち込むことによって、一体化された複数の前記横架材側接合金物と前記柱側接合金物を介して、当該横架材に複数本の前記柱の脚部や頭部を接合することによって構成されていることが好ましい。
【発明の効果】
【００１６】
本発明の柱脚部・柱頭部接合構造又は横架材によれば、横架材の上面又は下面から突出する部分の接合金物の突出長さを短く揃えて、搬送時における積載効率を向上させることができる。
【図面の簡単な説明】
【００１７】
【図１】本発明の好ましい一実施形態に係る柱脚部・柱頭部接合構造の構成を説明する透視分解斜視図である。
【図２】図１のＡ部において、固定ピンを打ち込んで一体化された横架材側接合金物及び柱側接合金物を介して、横架材に柱を接合した状態を説明する透視斜視図である。
【図３】本発明の好ましい一実施形態に係る柱脚部・柱頭部接合構造の構成を説明する、（ａ）は図１のＡ部におけるａ−ａ線断面図、（ｂ）は図１のＡ部におけるｂ−ｂ線断面図である。
【図４】横架材側接合金物の他の形態を例示する透視分解斜視図である。
【発明を実施するための形態】
【００１８】
本発明の好ましい一実施形態に係る柱脚部・柱頭部接合構造１０は、図１及び図２に示すように、例えば柱１１の柱脚部１１ａを、横架材１２として例えば梁の上面１２ａに立設させた状態で接合するための構造として用いられる。本実施形態では、柱１１と梁１２との接合部は、柱１１の側面に梁１２が接合されるのではなく、梁１２の上面１２ａから柱１１が垂直に立設する、梁勝ち接合部となっている。また、本実施形態では、梁１２の上面１２ａから立設して、引抜き耐力（柱１１と梁１２との接合強度）の異なる複数本の柱１１が、接合金物１３，１５を用いて接合されるようになっている。本実施形態の柱脚部・柱頭部接合構造１０は、横架材である梁１２に、予めプレカット工場等において、横架材側接合金物１３を取り付けておく際に、横架材側接合金物１３の、梁１２の上面１２ａから突出する部分の高さｈ1（図３（ａ）、（ｂ）参照）を、所定の短い高さに揃えることで、搬送時における積載効率を向上させることができるようになっている。
【００１９】
そして、本実施形態の柱脚部・柱頭部接合構造１０は、横架材である梁１２に、柱１１の脚部１１ａを接合するための接合構造であって、梁１２に埋設固定された横架材側接合金物１３における、梁１２の上面から上方に突出する部分である棒状接合突出部１４を、柱１１の下端面に開口端面を臨ませた状態で柱１１の脚部１１ａに埋設固定された、筒状の柱側接合金物１５の中空内部に挿入し、柱１１の側面から横架材側接合金物１３の棒状接合突出部１４及び柱側接合金物１５を貫通して固定ピンである例えばドリフトピン１６ａを打ち込むことによって、梁１２に柱１１の脚部１２ａを接合するようになっている。
【００２０】
横架材側接合金物１３は、梁１２に埋設される埋設固定部１３ａと、梁１２の上面から突出する棒状接合突出部１４と含んで構成されており、埋設固定部１３ａは、梁１２と柱１１との接合強度に応じた所定の本数の線状固定部材として、例えばドリフトピン１６ｂを、梁１２の側面から、埋設固定部１３ａに複数設けられた挿通孔１３ｂに向けて例えば６０ｍｍ程度のピッチで打ち込むことにより取り付けることによって、梁１２に固定されていると共に、棒状接合突出部１４は、横架材の上面から所定の高さｈ2（図３（ａ）、（ｂ）参照）に配設される位置に、固定ピンである例えばドリフトピン１６ａを貫通させる横架材側貫通孔１４ａを備えている。
【００２１】
筒状の柱側接合金物１５は、柱１１の下端面１１ｂから所定の高さｈ2（図３（ａ）、（ｂ）参照）に配設される位置に、固定ピンである例えばドリフトピン１６ａを貫通させる柱側貫通孔１５ａを備えると共に、柱１１の側面から、柱側貫通孔１５ａの上方の部分に複数設けられた挿通孔１５ｂに向けて、梁１２と柱１１との接合強度に応じた所定の本数の線状固定部材として、例えばドリフトピン１６ｃを、例えば３０ｍｍ程度のピッチで打ち込むことにより取り付けることによって、柱１１に固定されている。
【００２２】
柱１１に固定された筒状の柱側接合金物の１５中空内部に、横架材側接合金物１３の棒状接合突出部１４を挿入して、梁１２の上面から柱１１を上方に立設させた状態で、合致させた柱側貫通孔１５ａ及び横架材側貫通孔１４ａに向けて、柱１１の側面から固定ピンである例えばドリフトピン１６ａを打ち込むことによって、一体化された横架材側接合金物１３と柱側接合金物１５を介して、梁１２に柱１１の脚部１１ａを接合するようになっている（図２参照）。
【００２３】
本実施形態では、横架材としての梁１２は、図１〜図３に示すように、例えば幅１０５ｍｍ程度、高さ３００ｍｍ程度の大きさの、縦長の矩形の断面形状を有する木製の角材からなる。梁１２には、これの上面１２ａから下方に穿孔されて、横架材側接合金物１３の埋設固定部１３ａを嵌め込むための、埋設固定部１３ａの外径と同様の、例えば２８ｍｍ程度の内径の円形断面を有する複数の嵌込み孔（図示せず）が、柱１１を立設させる部分に形成されている。
【００２４】
また、梁材１２の側面には、パイプ嵌込み孔と対応する部分に、当該側面からパイプ嵌込み孔に向けて穿孔された、例えばドリフトピン１６ｂを打ち込んで取り付けるための打込み孔（図示せず）が、両側の側面を貫通すると共に、縦方向に所定の間隔をおいて複数箇所に開口形成されている。
【００２５】
本実施形態では、梁１２の上面から垂直に立設して接合される柱１１は、例えば縦横１０５ｍｍ程度の大きさの正方形の断面形状を有する木製の角材からなる。柱１１には、柱脚部１１ａの下端面１１ｂの中央部分に開口すると共に、軸方向に穿孔形成された、金物装着孔（図示せず）が設けられている。金物装着孔は、筒状の柱側接合金物１５の外径と同様の、例えば３５ｍｍ程度の内径の円形断面を有するように形成されている。この金物装着孔には、筒状の柱側接合金物１５が、ぴったりと嵌め込まれるようにして装着される。柱１１の柱脚部１１ａには、各一対の対向する側面の間を貫通するようにして、当該側面から金物装着孔に向けて穿孔された、例えばドリフトピン１６ｃを打ち込んで取り付けるための打込み孔（図示せず）が、縦方向に所定の間隔をおいて複数箇所に開口形成されている。柱１１の柱脚部１１ａには、下端面１１ｂから所定の高さ位置に、合致させた柱側貫通孔１５ａ及び横架材側貫通孔１４ａに向けて、柱１１の側面から固定ピンとして例えばドリフトピン１６ａを打ち込むための打込み孔（図示せず）が、１箇所に開口形成されている。
【００２６】
梁１２に埋設固定される横架材側接合金物１３は、本実施形態では、例えば２７ｍｍ程度の外径を有する、細長い有天円筒形状の棒状部材となっており、要求される柱１１と梁１２との異なる接合強度（引抜き耐力）に対応させた、第１、第２、及び第３の、長さが異なる３種類のものが用いられている（図１参照）。横架材側接合金物１３は、各々、梁１２の上面１２ａに開口して形成された嵌込み孔に嵌め込まれる埋設固定部１３ａと、梁１２の上面から突出する棒状接合突出部１４とを含んで構成されている。本実施形態では、長さが異なる第１、第２、及び第３の３種類の横架材側接合金物１３は、その棒状接合突出部１４を、所定の高さｈ1（図３参照）として、例えば９０ｍｍ程度の短い高さで揃えた状態で、梁１２の上面１２ａから突出させて設けられていると共に、棒状接合突出部１４には、横架材１２の上面１２ａから所定の高さｈ2（図３参照）として、例えば７５ｍｍ程度の高さ位置にその中心を配置して、横架材側貫通孔１４ａが設けられている。
【００２７】
また、本実施形態では、長さが異なる第１、第２、及び第３の３種類の横架材側接合金物１３は、要求される異なる接合強度に応じた異なる埋設長さで、埋設固定部１３ａを嵌込み孔に嵌め込んで、固定されている。すなわち、図１の中央部分に配置された最も長い横架材側接合金物１３は、その埋設固定部１３ａの長さが、例えば２７０ｍｍ程度となっており、梁１２と柱１１との接合強度に応じた所定の本数の線状固定部材として、例えば４本のドリフトピン１６ｂを、梁１２の側面から、打込み孔を介して埋設固定部１３ａに設けられた挿通孔１３ｂに向けて打ち込むことによって、梁１２に固定されている。図１のＡ部に配置された中間の長の横架材側接合金物１３は、その埋設固定部１３ａの長さが、例えば２１０ｍｍ程度となっており、梁１２と柱１１との接合強度に応じた所定の本数の線状固定部材として、例えば３本のドリフトピン１６ｂを、梁１２の側面から、打込み孔を介して埋設固定部１３ａに設けられた挿通孔１３ｂに向けて打ち込むことによって、梁１２に固定されている。図１のＡ部とは反対側の端部に配置された最も短い横架材側接合金物１３は、その埋設固定部１３ａの長さが、例えば１５０ｍｍ程度となっており、梁１２と柱１１との接合強度に応じた所定の本数の線状固定部材として、例えば２本のドリフトピン１６ｂを、梁１２の側面から、打込み孔を介して埋設固定部１３ａに設けられた挿通孔１３ｂに向けて打ち込むことによって、梁１２に固定されている。
【００２８】
これらによって、本実施形態において用いる横架材１２は、複数本の柱１１が、接合強度を異ならせた状態で、上面１２ａに接合されるようになっており、各々の接合箇所に埋設固定された横架材側接合金物１３は、棒状接合突出部１４が上面１２ａから突出する高さｈ1を揃えると共に、埋設固定部の長さ１３ａ及び挿通孔１３ｂに向けて取り付けられる線状固定部材であるドリフトピン１６ｂの本数を、柱１１との接合強度に応じて変化させた状態で、固定されるようになっている。
【００２９】
脚部１１ａに埋設固定される柱側接合金物１５は、図１〜図３に示すように、例えば２８ｍｍ程度の内径を有する、円形状の断面形状を有する細長い筒状部材となっており、要求される柱１１と梁１２との異なる接合強度（引抜き耐力）に対応させた、第１、第２、及び第３の、長さが異なる３種類のものが用いられている（図１参照）。柱側接合金物１５は、各々、下端開口縁部を柱１１の下端面１１ｂと面一に配置して、柱１１の下端面１１ｂに開口して形成された金物装着孔に、嵌め込まれるようにして固定される。本実施形態では、長さが異なる第１、第２、及び第３の３種類の柱側接合金物１５には、柱１１の下端面１１ｂから所定の高さｈ2（図３参照）として、例えば７５ｍｍ程度の高さ位置にその中心を配置して、柱側貫通孔１５ａが設けられている。
【００３０】
また、本実施形態では、長さが異なる第１、第２、及び第３の３種類の柱側接合金物１５は、要求される異なる接合強度に応じた異なる埋設長さで金物装着孔に嵌め込んで、固定されている。すなわち、図１の中央部分に配置される柱１１に取り付けられた、最も長い柱側接合金物１５は、その長さが、例えば１５０ｍｍ程度となっており、梁１２と柱１１との接合強度に応じた所定の本数の線状固定部材として、例えば３本のドリフトピン１６ｃを、柱１１の側面から、打込み孔を介して挿通孔１５ｂに向けて打ち込むことによって、柱１１に固定されている。図１のＡ部に配置される柱１１に取り付けられた、中間の長さの柱側接合金物１５は、その長さが、例えば１２０ｍｍ程度となっており、梁１２と柱１１との接合強度に応じた所定の本数の線状固定部材として、例えば２本のドリフトピン１６ｃを、柱１１の側面から、打込み孔を介して挿通孔１５ｂに向けて打ち込むことによって、柱１１に固定されている。図１のＡ部とは反対側の端部に配置される柱１１に取り付けられた、最も短い柱側接合金物１５は、その長さが、例えば９０ｍｍ程度となっており、梁１２と柱１１との接合強度に応じた所定の本数の線状固定部材として、例えば１本のドリフトピン１６ｂを、柱１１の側面から、打込み孔を介して挿通孔１５ｂに向けて打ち込むことによって、柱１１に固定されている。
【００３１】
さらに、本実施形態では、柱１１の脚部１１ａにおける、埋設固定された柱側接合金物１５を挟んだ両側に配置されて、補強用の一対の長ビス（皿ウッドスクリュー）１７が、ねじ込まれるようにして取り付けられている。長ビス（皿ウッドスクリュー）１７が取り付けられていることにより、柱１１の脚部１１ａの柱側接合金物１５が埋設された部分を、割れが生じないように、効果的に補強することが可能になる。
【００３２】
本実施形態の柱脚部・柱頭部接合構造１０は、好ましくは予めプレカット工場等において、柱側接合金物１５が精度良く取り付けられた上述の構成を備える柱１１や、横架材側接合金物１３が精度良く取り付けられた上述の構成を備える梁１２を、施工現場に搬入し、施工現場においては、梁１２を所定の箇所の架設した後に、柱１１に固定された筒状の柱側接合金物の１５中空内部に、横架材側接合金物１３の棒状接合突出部１４を挿入して、梁１２の上面から柱１１を上方に立設させた状態で、合致させた柱側貫通孔１５ａ及び横架材側貫通孔１４ａに向けて、柱１１の側面から固定ピンである例えばドリフトピン１６ａを打ち込むだけの簡易な作業によって形成されて、一体化された横架材側接合金物１３と柱側接合金物１５を介して、梁１２に柱１１の脚部１１ａを強固に且つ安定した状態で接合することが可能になる。
【００３３】
そして、本実施形態の柱脚部・柱頭部接合構造１０によれば、梁１２の上面から突出する部分である、横架材側接合金物１３の棒状接合突出部１４の突出長さを短く揃えて、搬送時における積載効率を向上させることが可能になる。
【００３４】
すなわち、本実施形態によれば、梁１２に埋設固定された横架材側接合金物１３は、埋設固定部１３ａと棒状接合突出部１４とを含んで構成されており、埋設固定部１３ａは、要求される接合強度に応じた所定の本数のドリフトピン１６ｂを打ち込んで、梁１２に固定されていると共に、棒状接合突出部１４は、梁１２の上面１２ａから所定の高さｈ2に横架材側貫通孔１４ａを備えており、柱１１の脚部１１ａに埋設固定された柱側接合金物１５は、柱１１の下端面１１ｂから所定の高さｈ2に柱側貫通孔１５ａを備えると共に、柱側貫通孔１５ａよりも上方の部分に、要求される接合強度に応じた所定の本数のドリフトピン１６ｃを打ち込んで柱１１に固定されている。
【００３５】
これによって、横架材側貫通孔１４ａが設けられる、梁１２の上面１２ａからの所定の高さｈ2や、これと同じ高さである、柱側貫通孔１５ａが設けられる、柱１１の下端面１１ａからの所定の高さｈ2を、小さく抑えると共に、要求される接合強度の相違は、横架材側接合金物１３の埋設固定部１３ａや、柱側接合金物１５の柱側貫通孔１５ａよりも上方部分の、長さ及びドリフトピン１６ｂ、１６ｃの本数を異ならせることによって調整できるので、例えば単一の梁１２における複数の接合箇所で、複数の柱１１を、要求される接合強度を異ならせた状態で接合する場合でも、横架材側接合金物１３の棒状接合突出部１４の、梁１２の上面１２ａから突出する長さを短く揃えることが可能になって、搬送時における積載効率を向上させることが可能になる。
【００３６】
なお、本発明は上記実施形態に限定されることなく種々の変更が可能である。例えば、横架材側接合金物の棒状接合突出部及び柱側接合金物を貫通して打ち込まれる固定ピンは、ドリフトピンである必要は必ずしもなく、ドリフトピンと同様の機能を備える、その他の固定ピンであっても良い。横架材と柱との接合強度に応じて、横架材側接合金物や柱側接合金物を固定するための線状固定部材は、ドリフトピンである必要は必ずしも無く、例えば挿通孔に形成された雌ネジに螺着することが可能な雄ネジボルト等の、その他の線状固定部材であっても良い。
【００３７】
また、本発明の柱脚部・柱頭部接合構造は、横架材に柱の頭部を接合するための構造として用いることもできる。すなわち、横架材に埋設固定された横架材側接合金物における、横架材の下面から下方に突出する棒状接合突出部を、柱の上端面に開口端面を臨ませた状態で柱の頭部に埋設固定された、筒状の柱側接合金物の中空内部に挿入し、柱の側面から横架材側接合金物の棒状接合突出部及び柱側接合金物を貫通して固定ピンを打ち込むことによって、横架材に柱の頭部を接合するようにしても良い。
【００３８】
さらに、例えば図４に示すように、横架材側接合金物１３’は、埋設固定部１３ａ’を形成する筒状部材１８と、この筒状部材１８の内径と同様の外径を備える棒状部材１９との２部材によって形成されており、棒状部材１９が、一端部側を筒状部材１８の内部に挿入して固定されることで、他端部側を前記棒状接合突出部１４’として横架材１２’の上面又は下面から突出させた状態で、横架材１２’に取り付けられるようになっていても良い。
【符号の説明】
【００３９】
１０  柱脚部・柱頭部接合構造
１１  柱
１１ａ  柱脚部
１１ｂ  下端面
１２，１２’  横架材（梁）
１２ａ  上面
１３，１３’  横架材側接合金物
１３ａ，１３ａ’  埋設固定部
１３ｂ  挿通孔
１４，１４’  棒状接合突出部
１４ａ  横架材側貫通孔
１５  柱側接合金物
１５ａ  柱側貫通孔
１５ｂ  挿通孔
１６ａ  固定ピン（ドリフトピン）
１６ｂ，１６ｃ  線状固定部材（ドリフトピン）
１７  長ビス（皿ウッドスクリュー）
１８  筒状部材
１９  棒状部材
【図１】
0006648998.tif 000002
【図２】
0006648998.tif 000003
【図３】
0006648998.tif 000004
【図４】
0006648998.tif 000005